(57)【要約】【課題】壁掛けなどの使用は勿論のこと、床面や畳面上などに対しても、置台などを使用することなく、簡便且つ迅速、しかも安定した立設状態を可能にする。【解決手段】方形をなした主体とその外周を取囲む副体の二重構成となし、主体の四隅箇所には回動自在のガイドピンを突設させ、一方副体の額縁枠は上記ガイドピンに案内されるキー溝を備えると共に、中央で左右方向へ二分されるコ字状分割体となし、各コ字状分割体はキー溝の適当箇所でガイドピンを支軸に円周方向へ立面回動可能状態にする。【選択図】      図３
2004337528.tif 000002
【特許請求の範囲】
【請求項１】
方形をなした主体とその外周を取囲む副体の二重構成となし、主体の四隅箇所には回動自在のガイドピンを突設させ、一方副体の額縁枠は上記ガイドピンに案内されるキー溝を備えると共に、中央で左右方向へ二分されるコ字状分割体となし、各コ字状分割体はキー溝の適当箇所でガイドピンを支軸に円周方向へ立面回動可能になしたことを特徴とする額縁。
【請求項２】
主体の中央に於ける上下箇所に係合突起を設け、該突起箇所で左右方向へ二分されて摺動する副体のコ字状分割体を一体化させ、該突起以外の箇所で上記副体のコ字状分割体の夫々れが円周方向の立面回動可能となされることを特徴とする請求項１記載の額縁。
【請求項３】
主体の外周面を断面凸型段部に形成すると共に、二分されて摺動する副体のコ字状分割体の内周面に対し、上記凸型段部と嵌合可能な溝部を形成したことを特徴とする請求項１又は２記載の額縁。
【請求項４】
コ字状分割体のキー溝の開放端側に対し、抜け出し防止用のストッパーピンを取付け、コ字状分割体の摺動移動のさい主体から離脱しないものとなしてあることを特徴とする請求項１，２又は３記載の額縁。
【発明の詳細な説明】
【０００１】
【発明の属する技術分野】
本発明は書画品を掲示する額縁に関する。
【０００２】
【従来の技術】
従来に於ける額縁は、掲示面と専ら逆の裏面側に設けた係止具や紐類の使用で壁面に固定したり、或いは吊り下げたりする。これに対し棚面や卓上等に立設させたりするには、別体の脚立や置台などを用意し、これを使用して行われる。
【０００３】
【特許文献】
実開平５−６３３６９号
【０００４】
【発明が解決しようとする課題】
本発明は壁掛けなどの使用は勿論のこと、また棚や卓上の載置ばかりでなく床面或いは畳面上などに対しても、何ら置台などを用意したりすることなく、簡便且つ迅速に、しかも安定した立設状態を可能ならしめるべく工夫したものである。
【０００５】
【課題を解決するための手段】
本発明は方形をなした主体とその外周を取囲む副体の二重構成となし、主体の四隅箇所には回動自在のガイドピンを突設させ、一方副体の額縁枠は上記ガイドピンに案内されるキー溝を備えると共に、中央で左右方向へ二分されるコ字状分割体となし、各コ字状分割体はキー溝の適当箇所でガイドピンを支軸に円周方向へ立面回動可能状態にする。このさい、主体の中央に於ける上下箇所には係合突起を設け、該突起箇所で左右方向へ二分されて摺動する副体のコ字状分割体を一体化させ、該突起以外の箇所で上記副体のコ字状分割体の夫々れが円周方向の立面回動可能になされる。
【０００６】
一方、主体の外周面は断面凸型段部に形成すると共に、二分されて摺動する副体のコ字状分割体の内周面に対し、上記凸型段部と嵌合可能な溝部を形成するのであり、他方、二分されるコ字状分割体となした副体のキー溝の開放端側に対し、抜け出し防止用のストッパーピンを取付け、コ字状分割体の摺動移動のさい主体から離脱しないものとなしてある。
【０００７】
【発明の実施の形態】
図１は本発明に係る主体と副体の二重構造となした額縁の一部破断正面図、図２は図１に於ける主体と副体を取外した状態の説明図、図３は主体と副体の組立て状態で副体のコ字状分割体を左右方向へ摺動させると共に円周方向へ立面回動させて立設状態になした説明図である。
【０００８】
上図に於いては１は主体の額縁であって、該構成は従来のものと変わりがない。本発明では上記主体１の縁枠の四隅箇所に対しガイドピン２を回動自在に突設させるのであり、具体例としては図４に示す如き構成である。ここにガイドピン２は一定長さ寸法の直方体２ａを、その取付けピン２ｂを軸心にして回動自在となされるのである。
【０００９】
３は上記主体の外周を取囲む副体であって、中央で左右方向へ二分される１対のコ字状分割体３’，３’となすのであり、各コ字状分割体３’，３’は次の如き構成となされる。即ちコ字状分割体３’は、その二分されてなる上下辺の内面部に対し、前記主体１のガイドピン２を嵌入して摺動可能になすためのガイド溝３’ａを穿設したものとなしてあり、また縦辺の内面側には後述する主体１の凸型段部を嵌入可能にする凹溝３’ｂを穿設したものとなしてある。なお、上下辺のガイド溝３’ａの開放端側には、その摺動移動のさいの抜け出し防止用のストッパーピン４が取付けてある。（図５参照）
【００１０】
５は主体１の上下枠に於ける中央位置に取付けてなる係合突起であって、前記左右方向へ摺動可能なコ字状分割体３’を中央箇所で不動の一体化状態にするためのものであり、このさい上記ストッパーピン４は該係合突起５と衝突しないように開放端より少し内方へ控えた位置に取付けたものとなしてある。（図１の一部破断箇所参照）
【００１１】
上記に於ける副体のコ字状分割体３’が摺動移動するさい、主体１との外周には空間が形成されるものとなるが、主体と副体の一体化で左右方向からコ字状分割体３’を主体１上へ合体させたさい、主体１と副体３の接触する対合面に対して隙間が形成されないようにするべく、主体１の外周面を断面凸型段部ｋの形成されるものにする。而して、これにより凸型段部ｋの先端が各コ字状分割体３’の内周面側に設けてある凹溝３’ｂ内へ部分的に嵌入され、これにより主体１と副体３の一体感が図られるようにするほか、全体的な額縁の枠取りが大きく形成されるものとなることから、豪華で重厚感のあるものとなすことができる。
【００１２】
上記では図示を省略したが、主体１或いは副体３の裏面側には、上記主体１及び副体３を一体化させて壁掛けしたり、或いは吊り下げしたりするさいに便ならしめるための止め金具や紐類などを取付けておくようにするのである。
【００１３】
なお、上記に於ける額縁の構成は、適宜その縦・横の長さ寸法を大きく変えたりすることにより衝立の使用態様とすることができるのであり、本発明実施の範囲内とするものである。
【００１４】
【発明の効果】
本発明は以上の通り構成するものであって、従来品の壁掛け用として額縁機能を全くそのままに備えていながら、棚や卓上などへの載置ばかりでなく、床面或いは和室の畳面上に対しても、何らそれがために必要な置台を用意したりすることなく、簡便且つ迅速、しかも安全な立設状態にすることができるものとなるのである。
一方、その立設状態では副体のコ字状分割体が左右方向に引かれ且つその円周方向へ適宜自由な回動可能状態であるため、ハ字状（図３参照）、Ｈ状などの如く安定感ある立体載置が得られると同時に意匠感にも優れたものとなすことができる。
他方、実質的には二重枠体の構成となることから、副体と主体との一体化状態では豪華で重厚感溢れるものとなるのであり、また副体３の色材を主体１と異ならしめたりすることにより、独特な美的感を持たせることもできる。
なお、和室に於ける衝立や寝室の枕屏風的な使用も可能となり、生活空間の多様化に寄与するものである。
【図面の簡単な説明】
【図１】本発明に係る主体と副体の二重構成となした額縁の一部破断正面図である。
【図２】図１の主体と副体を取外した状態説明図である。
【図３】使用状態例の斜視図である。
【図４】主体の四隅箇所に於けるガイドピンの構成を示す説明図である。
【図５】コ字状分割体のガイド溝及び該ガイド溝内のストッパーピンの構成を示す説明図である。
【符号の説明】
１      主体
２      ガイドピン
３      副体
３’    コ字状分割体
４      ストッパーピン
５      係合突起
ｋ      凸型段部
【図１】
2004337528.tif 000003
【図２】
2004337528.tif 000004
【図３】
2004337528.tif 000005
【図４】
2004337528.tif 000006
【図５】
2004337528.tif 000007